(57)【要約】【課題】  光学組立部品を光軸（１６）に沿ってあそびがなくかつ低摩擦で移動することができる光学装置、特にズーム装置、用の誘導装置の提供。【解決手段】  誘導装置は、内径面（１）を規定し、光軸（１６）に沿って延在するハウジング（２）を有する。滑動体（３）は、光学組立部品（１９）を収容するように形成され、またハウジング（２）の内径面（１）に接する複数の当接面（４）をその外側に有するスリーブセグメント（１５）を有する。光軸（１６）に沿った滑動体（３）の移動を定めるために、駆動ユニット（１２）が設置される。保持装置（１７）は、内径面（１）にスリーブセグメント（１５）を保持し、回転防止装置（１８）は、滑動体（３）をハウジングの断面領域で回転させないようにする。完全にあそびなく、かつ低摩擦の誘導がなされる。ハウジングの開口（１０）は、調節及び掃除のためのレンズへのアクセスを可能にする。【選択図】  図３
2005070792.tif 000002
【特許請求の範囲】
【請求項１】
光学組立部品が光軸（１６）に沿って移動可能な、光学装置の誘導装置であって、
前記光軸（１６）に沿って延在し、内径面（１）を規定するハウジング（２）、
スリーブセグメント（１５）を備え、光学組立部品（１９）を収容するように構成された少なくとも１つの滑動体（３）、
前記光軸（１６）に沿った前記滑動体（３）の規定された移動を行う少なくとも１つの駆動ユニット（１２）、
滑動体（３）のスリーブセグメント（１５）を内径面（１）に保持する保持装置（１７）、及び
滑動体（３）を光軸（１６）の周りに回転させないよう確保する回転防止装置（１８）、を有し、
前記スリーブセグメント（１５）は、前記内径面（１）に接する複数の当接面（４）を外側に有する、ことを特徴とする誘導装置。
【請求項２】
前記スリーブセグメント（１５）は４つの当接面（４）を有することを特徴とする請求項１記載の誘導装置。
【請求項３】
前記スリーブセグメント（１５）は、１８０°以下の弧であることを特徴とする請求項１又は２記載の誘導装置。
【請求項４】
前記スリーブセグメント（１５）は複数備えられ、前記内径面（１）の互いに向かい合うセクターに配置されることを特徴とする請求項１〜３のいずれか一項に記載の誘導装置。
【請求項５】
前記保持装置（１７）は、前記内径面（１）の外側に搭載される磁石（５）を有し、前記スリーブセグメント（１５）及び／又は前記当接面（４）は磁化可能な物質から作製されることを特徴とする請求項１〜４のいずれか一項に記載の誘導装置。
【請求項６】
前記保持装置（１７）は、一方は前記滑動体（３）に接続され、他方は磁石（５）を収容する短軸（１３）を有することを特徴とする請求項１〜４のいずれか一項に記載の誘導装置。
【請求項７】
前記ハウジング（２）は、前記保持装置（１７）と滑動体（３）の軸方向の移動を可能にする縦軸スロット（１４）を有することを特徴とする請求項１〜６のいずれか一項に記載の誘導装置。
【請求項８】
前記ハウジング（２）の前記縦軸スロット（１４）は鋼帯（６）によって外側と遮断されていることを特徴とする請求項１〜７のいずれか一項に記載の誘導装置。
【請求項９】
前記回転防止装置（１８）は、一方は前記滑動体（３）に接続され、他方は前記内径面（１）の外側に搭載されるボールベアリング（７）を収容する短軸（１３）を有することを特徴とする請求項１〜８のいずれか一項に記載の誘導装置。
【請求項１０】
前記ハウジング（２）は、前記回転防止装置（１８）と前記縦軸スロット（１４）を有することを特徴とする請求項９に記載の誘導装置。
【請求項１１】
前記保持装置（１７）と前記回転防止装置（１８）は、互いに兼用されることを特徴とする請求項１〜１０のいずれか一項に記載の誘導装置。
【請求項１２】
駆動ユニット（１２）として使用されるスピンドルカム（１２）を有し、前記滑動体（３）に配した連結器（１１）によって前記滑動体（３）を駆動することを特徴とする請求項１〜１１のいずれか一項に記載の誘導装置。
【請求項１３】
前記スピンドルカム（１２）は、前記ハウジング（２）の横断面投影において、滑動体（３）の横に配置されることを特徴とする請求項１２記載の誘導装置。
【請求項１４】
前記ハウジング（２）は円筒形であることを特徴とする請求項１〜１３のいずれか一項に記載の誘導装置。
【請求項１５】
前記ハウジング（２）は、前記内径面（１）の周りにかつ軸方向に延在して配置されるレールを有することを特徴とする請求項１〜１３のいずれか一項に記載の誘導装置。
【請求項１６】
前記ハウジング（２）は、前記内径面（１）を取り巻く２つの向かい合うＶ字状の面（複数）（２１）を有することを特徴とする請求項１〜１４のいずれか一項に記載の誘導装置。
【請求項１７】
前記ハウジング（２）は、少なくとも１つのセグメント状開口（１０）を有することを特徴とする請求項１〜１６のいずれか一項に記載の誘導装置。
【請求項１８】
請求項１〜１７のいずれか一項に記載の誘導装置を有する光学機器。
【発明の詳細な説明】
【技術分野】
【０００１】
本発明は、レンズもしくはレンズセットなどの複数の光学組立部品が互いに関連して移動する光学装置、特にズーム装置、に適した誘導（ガイド）装置に関する。
【背景技術】
【０００２】
ズーム装置において、個々のレンズもしくはレンズセットからなる個々のズーム部品は、例えば、ズーム装置の光軸に沿って互いに関連して移動する。この場合、光学機器の一部である誘導装置が必要となる。光学機器は、カメラもしくは顕微鏡に組み込まれたズームレンズであってもよい。
【０００３】
以下に記載するように、このような誘導装置の構造は多数知られている。
【０００４】
特許文献１は、２つの誘導ロッドが光軸に沿って１つ以上のレンズホルダーを誘導する顕微鏡レンズの誘導装置を開示する。レンズホルダーの滑動体は、２つの誘導ロッドの一方を取り囲んで連動係合に取り付けられるので、誘導柱として機能する。他方の誘導ロッドは回転防止器として機能し、レンズホルダーは誘導ロッドを部分的に取り囲む。このため、レンズホルダーの関連する側には、誘導ロッドが係合するＵ字状凹部がある。この凹部内で起こりうるずれを避けるために、磁石が配置されるＵ字状凹部の一方の側に後者の誘導ロッドが常に接するように、磁石は、結合する磁化可能な誘導ロッドに磁力の引力を作用させる凹部の片側に設けられている。
【０００５】
この解決手段に関連する不利益は、下記の第二の解決手段に関連して以下で説明する。
【０００６】
【特許文献１】米国特許５６７５４４２号明細書
【発明の開示】
【発明が解決しようとする課題】
【０００７】
光軸と同軸に搭載され、互いの内部及びハウジング内で移動可能であり、ズーム部品をそれぞれ有するスリーブは、ズームレンズの誘導装置を形成することができる。通常、直径の許容値総量のために、ズーム部品とハウジングとの間には実質的な横の隙間が存在する。さらに、軸長の短いスリーブの場合、特にスリーブが互いにぶつかるとき、個々のズーム部品が傾く危険性がある。一方、直径の隙間が小さければ、ズーム部品がハウジング内を容易に移動できないことを意味する。ズーム部品を備えるスリーブがハウジングに組み込まれた後では、もはやレンズに接触できないので、レンズの掃除も、横方向もしくは軸方向へのズーム部品の調節もすることができない。
【０００８】
他に知られているズーム誘導装置は、ズーム部品を収容する滑動体が移動する、光軸と平行に配置された複数の誘導柱（ガイドポスト）からなる。ある柱は誘導柱として機能し、別の柱は、ズーム装置が光軸回りに回転しないようにする回転防止器として機能する。この配置において、あそびを発生させないために、柱と滑動体においては狭い直径許容値を維持しなければならない。柱のどんな曲がりも誘導障害につながる。加えて、柱の狭い位置許容値も維持しなければならない。ズーム部品を保持する滑動体は、この解決手段によれば複雑な幾何学構造となる。複雑な構造に起因する許容値総量の結果として、ズーム部品の軸（光軸）の位置に関して、ズーム部品は横方向に調節可能でなければならない。
【０００９】
結局、同軸構造の誘導装置は、それぞれズームレンズを収容し、かつハウジングの内壁の直径内に位置する側部で支持されるディスク形滑動体（複数）を有することが知られている。これらの滑動体の実際の誘導及び傾きに対する予防措置は、ハウジングの縦軸スロットを通過し、ハウジングまわりに円周面に３ヶ所配置された−円周曲線カム（Dreitakt-Mantelkurve）に当接する、滑動体に配置された３つのボルトのセットの３ヶ所配置構成（Dreitakt）によって提供される。この解決手段では、より高価な円周曲線カムにもかかわらず、３ヶ所配置構成における不可避の許容値の結果として、ズーム部品の起こりうる傾きを防止することもできない。容易な移動を可能にするのに必要な直径の許容値の結果として、複雑な手段によって妨げるしかないズーム部品の横すべりの危険性がある。さらに、これらの不利益は、一度レンズが取り付けられると、ズーム部品の軸方向もしくは横方向の調整が不可能となり、またレンズの洗浄が不可能となる、レンズの不満足な性質の結果である。
【００１０】
説明した誘導装置の必須要件は以下のようにまとめられる：
・ズーム部品がズームの光軸に関して傾くこと及び／又はすべることのない、隙間（あそび）のない移動、
・使いやすい操作（手動もしくは電動）のための移動の容易性、
・調節及び掃除のためのズーム部品へのアクセス可能性、
・コンパクトかつ経済的なデザイン。
【００１１】
上記見解は、レンズもしくはレンズセットなどの光学組立部品が一方向に及び／又は互いに関連して移動しなければならない他の光学装置用の誘導装置にも明らかに当てはまる。
【００１２】
本発明の１つの目的は、公知の誘導装置の上述した不利益を防止することである。さらに、本発明によって提案される誘導装置は、上述の必須要件をできる限り満たすべきである。
【課題を解決するための手段】
【００１３】
本発明によれば、レンズ及び／又はレンズセットなどの光学組立部品が光軸に沿って移動する光学装置、特にズーム装置、用の誘導装置が提案される。当該誘導装置は以下の部品を有している：光軸に沿って延在し、かつ内径面を規定するハウジング；光学組立部品を収容する少なくとも１つの滑動体、この滑動体は、前記内径面と当接する複数の当接面を外面に有するスリーブセグメントを備える；光軸に沿った規定された滑動体の動きを行う少なくとも１つの駆動ユニット；滑動体のスリーブセグメントを前記内径面に保持する保持装置及び滑動体を光軸の周りに回転させないよう確保する回転防止装置（請求項１（基本形態１））。ここに「内径面」とは、内径によって規定される円筒状の面、即ち円筒状空間の内周面のことをいう。
【００１４】
上記誘導装置は、以下の特徴を有することもできる：スリーブセグメントは４つの当接面を有すること（形態２）；スリーブセグメントは、１８０°以下、好ましくは１２０°もしくは９０°、の弧であること（形態３）；スリーブセグメントは、複数備えられ、内径面の互いに向かい合うセクターに配置されること（形態４）；内径面にスリーブセグメントを保持する保持装置は、内径面の外側に搭載される磁石を有し、スリーブセグメント及び／又は当接面は磁化可能な物質から作製されること（形態５）；内径面に滑動体のスリーブセグメントを保持する保持装置は、一方は滑動体に接続され、他方は磁石を収容する短軸を有すること（形態６）；ハウジングは、滑動体のスリーブセグメントを保持する保持装置と滑動体の軸方向の移動を可能にする縦軸スロットを有すること（形態７）；ハウジングの縦軸スロットは鋼帯によって外側と遮断されていること（形態８）；滑動体の回転防止装置は、一方は滑動体に接続され、他方は内径面の外側に搭載されるボールベアリングを収容する短軸を有すること（形態９）；ハウジングは、滑動体の回転防止装置と滑動体の軸方向の移動を可能にする縦軸スロットを有すること（形態１０）；内径面に滑動体のスリーブセグメントを保持する保持装置と滑動体の回転防止装置は、互いに組合せ・兼用されること（形態１１）；駆動ユニットとして使用されるスピンドルカムを有し、滑動体に配した連結器によって滑動体を駆動すること（形態１２）；スピンドルカムは、ハウジングの横断面投影において、滑動体の横に配置されること（形態１３）；ハウジングは円筒形であること（形態１４）；ハウジングは、内径面の周りにかつ軸方向に延在して配置されるレールを有すること（形態１５）；ハウジングは、内径面を取り巻く２つの向かい合うＶ字状面（複数）を有すること（形態１６）；ハウジングは、少なくとも１つのセグメント状開口を有すること（形態１７）。
【００１５】
また、本発明によれば、上記のいずれかの形態の誘導装置を有する光学機器、特にズーム装置が提案される（基本形態１８）。
【発明の効果】
【００１６】
本発明の誘導装置によれば、あそびを有さないので、レンズなどの光学部品を光軸に対し傾かせることなく移動させることができる。また、光学部品の回転を防止しながらも、光学部品を低摩擦で移動させることができる。さらに、本発明の誘導装置によれば、光学部品の調節及び掃除を容易に行うことができる。また、上記の利点を有する誘導装置を簡易かつコンパクトな構成で得ることができる。
【発明を実施するための最良の形態】
【００１７】
種々の倍率を得るために光軸に沿って所定の方法で互いに関連して移動される個々のズーム部品を備えるズーム装置を参照して、本発明による誘導（ガイド）装置の有利な形態を以下に説明する。しかしながら、本発明はこのようなズーム装置に決して制限されず、相当する光学組立部品を備える他の光学装置にも同様に関連する。
【００１８】
本発明による誘導装置において、縦軸誘導は、ハウジングによって規定される正確な内径面によって実施される。ズームレンズをそれぞれ備える各滑動体は、ハウジングに配設される。しかしながら、これらの滑動体は、完全なスリーブではなく、複数の当接面でハウジングの内径面と接するスリーブセグメント（複数）からなる。保持装置は、滑動体のスリーブセグメントを内径面に保持するが、別の確保装置は、光軸の周りの回転を防止する回転防止手段を形成する。スリーブセグメントに形成された当接面は、光軸に沿って滑動体を誘導し、ハウジングの内側と当接する。これにより低摩擦の移動が可能となる。この当接面のさらなる利点は、ハウジングの内径面に正確に適合する完全な滑動体又は完全なスリーブセグメントを構成する必要がなく、スリーブセグメント上に隆起させた当接領域を構成する必要があるだけである。ハウジングの幾何学形態は、ハウジング内面と分散した箇所で当接する当接箇所の形態も可能とする当接領域の適当な幾何学形態を決定する。
【００１９】
スリーブセグメントは、ズーム部品の傾きの危険性を解消するに十分なだけ長いものとする。それらがなおもスリーブセグメントであるので、例えばあるスリーブセグメントが別の滑動体のスリーブセグメントの空き空間に移動するとき、２以上の滑動体を密接して導くことができる。スリーブは完全に閉じられていない（即ち、少なくとも一方からアクセス可能なよう部分的に開放して形成される）ので、掃除及び調節を目的とするズームレンズへのアクセスが保証される。このため、ハウジングの幾何学形態は内部へのアクセスも可能にしなければならない。本発明の誘導装置におけるハウジングは、滑動体の正確な縦軸誘導を保証するために、正確な内径面を定めさえすればよい。このため、ハウジングは、円筒形であって、内径面が円筒の内径と一致してもよく、又は内径面周りに配置されかつ軸方向に延びるレールを有してもよく、又は内径面を取り巻き、互いと向かい合いに配置された２つのＶ字状面を有することができる。後者２つの場合、スリーブセグメントは、レールもしくはＶ字状面上の分散した箇所（点ないし面）で当接面と接する。
【００２０】
ズーム部品へのアクセスを可能にするために、ハウジングは、有利には、少なくとも１つのセグメント状（即ち、半径方向外方へ拡開形成された）開口を有する。
【００２１】
本発明によれば、調節及び掃除のための光学組立部品へのアクセスを提供し、かつ光軸に関して個々の光学組立部品が傾くこと及び／又は滑ることなくバックラッシュのない移動を確保しつつ、光学組立部品の容易な移動及びそれによる使いやすい操作を可能にする光学装置用の誘導装置を構成することができる。
【００２２】
特に有利な形態によれば、滑動体のスリーブセグメントは４つの当接面を有する。これらの当接面は、スリーブセグメントの４つの角に適当に配置される。これは、傾きに対する最適な保護を確保するのと同時に、内径面への最適な当接を確保する。
【００２３】
同様に有利な形態によれば、スリーブセグメントは１８０°以下の弧、特に１２０°もしくは９０°の弧を描く。これは、閉じたスリーブではない、軸方向の長い誘導長を可能にする。スリーブセグメントの構造は、複数のスリーブを互いの内部で滑動させるよう構成されるので、互いに近接する滑動体によって担持される光学組立部品をガイドする。スリーブセグメントの弧の大きさは、互いの内部を滑動するスリーブの数によって選択することができる。例えば、互いに関連して滑動される２つのスリーブセグメントを使用する場合、スリーブセグメントが互いに１８０°で互いに向かい合うハウジングの内径面のセクターに接するように、スリーブセグメントを１２０°セグメントとして構成し、配置することが有利である。
【００２４】
有利な形態によれば、滑動体のスリーブセグメントは、磁力を使用して内径面に保持される。このために、対応する装置は、内径面外部に配置した磁石を有し、スリーブセグメント及び／又は当接面は磁化可能な物質で作製される。内径面外部に配置した磁石は、結果として、内径面に対して、もしくは内径面上のハウジングの当接点に対して、スリーブセグメントをひきつける。当接面は磁化可能な物質で作製されれば十分である。
【００２５】
代わりに、内径面に滑動体のスリーブセグメントを保持する保持装置は、好適には、一方の端は滑動体に接続され、及び／又は他方の端は磁石を収容する短軸を有してもよい。磁石は滑動体と共に軸方向に移動され、磁石と滑動体は共通の短軸によってしっかりと連結される。磁力は、内径面にスリーブセグメントを引きつけるので、スリーブセグメントが傾くことを防止する。磁力は、磁石と、放射方向のさらに外部に配置した磁化可能な物質、例えば軸（光学）方向に沿って延在し、磁石の近くに配置した鋼帯、との間で作用する。この実施形態において、各滑動体は、スリーブセグメントを内径面に固定する連結装置を有する。
【００２６】
この点において、有利な形態によれば、ハウジングは、滑動体のスリーブセグメントを保持する保持装置共に滑動体の軸方向の移動を可能にする縦軸スロットを有する。上記で説明した実施形態において、短軸は縦軸スロットから滑動体のスリーブセグメントへ貫通して延在するが、例えば、短軸に取り付けた磁石が縦軸スロットの外側に配置される。傾きにつながる縦軸スロットにおける短軸のあそびは磁力によって解消される。
【００２７】
同様に有利な形態によれば、ハウジングの縦軸スロットは、上述の短軸に取り付けた磁石が引きつけられる鋼帯によって外部と遮断される。この場合、滑動体が軸方向移動する間、磁石は、鋼帯からわずかな隙間をあけて鋼帯に沿って動く。鋼帯上で磁石が浮遊するのでいかなる摩擦も生じさせない。
【００２８】
さらに、光軸に垂直な平面において滑動体を回転させないことも重要である。そのような回転は、もはや駆動ユニットに定められた方法で滑動体を持ち上げることをできなくさせるだろう。そのような欠点は、光学組立部品の光軸に沿った正確な誘導を妨げる。コンパクトな構造が必要なので、該もしくは各滑動体の駆動ユニットは、軸方向の空間を省くため、通常滑動体の横に搭載される。駆動ユニットは連結器（カップリング）により滑動体の片側にて係合し、回転を生じさせない。
【００２９】
滑動体を回転させない有利な装置は、一方の端は滑動体に接続され、他方の端は、内径面の外側に配置されているボールベアリングを支持する短軸を備える。このため、ハウジングは、回転を防止する前記保持装置と共に滑動体の軸方向の移動を可能にする縦軸スロットを有する。
【００３０】
それゆえ、ボールベアリングと縦軸スロットは、理想的な回転防止手段を形成する。
【００３１】
本発明の有利な形態によれば、内径面にスリーブセグメントを保持する保持装置と回転を防止する確保装置は互いに組合されかつ兼用される。上述の装置において、このことは、滑動体が軸方向の移動をする間、共通の縦軸スロットに沿って移動する共通の短軸（Achse）を２つの装置が共有するのであれば、達成される。一方の端において滑動体もしくは対応するスリーブセグメントに接続される短軸は、第一に、他方の端に、ハウジングの縦軸スロット内を移動するボールベアリングを支持し、例えば、さらに離れている短軸の端に磁石を収容する。上記ですでに述べたように、鋼帯は、縦軸スロットを外側で覆うように、これらの磁石から少し離して設けられてもよい。
【００３２】
本発明による誘導装置において、駆動ユニットは、連結器（Kopplung）によって滑動体を駆動するスピンドルカムであってもよい。できるだけコンパクトな誘導装置にするために、スピンドルカムは、ハウジングの横断面上の投影において、滑動体の横方にかつハウジングの内径と外径との間の周辺部に配置される。
【００３３】
誘導装置のハウジングの種々の有利な幾何学的形状は、上記ですでに説明した。ハウジングのセグメント状（円弧状）開口は、調節及び掃除を目的とする光学組立部品（ズームレンズ）へのアクセスを可能にする。ハウジングの幾何学的構成に依存して、セグメント状開口はもとから存在するよう構成するか、又はハウジングに設けなければならない。
【００３４】
添付図面を参照して、本発明を例示する実施形態及びその有利な形態を以下により詳細に説明する。
【実施例】
【００３５】
実施例として、本発明によるズーム装置用の誘導装置をより詳しく説明する。このような誘導装置はズームレンズもしくはズームレンズセットを収容する滑動体３を有する。図１は、２つの異なる斜視図によりこのような滑動体３を概略的に示す。滑動体３の環状部分はズームレンズもしくはレンズセットを保持するためにあり、また滑動体３は、本実施例において１２０°の円弧を描くスリーブセグメント１５を備える。図１は、スリーブセグメントの角（各コーナー部）付近に設けられた４つの隆起した当接面４も示す。スリーブセグメント１５には、ハウジングの内径面にスリーブセグメントを保持し、かつ滑動体を回転させないよう確保する以下で説明する回転防止装置を支える短軸（ピン）用の穴２０がある。
【００３６】
図２は、本発明による誘導装置用のハウジング２を概略斜視図で示す。本実施例において円筒形のハウジングは、正確な内径１ａの内径面１を規定する。滑動体３がハウジング２内で軸方向に誘導される縦軸スロット１４は、ハウジング２の円筒ケーシングに形成される。参照符号１０は、調節及び掃除を目的とする光学組立部品へのアクセスを可能にするハウジング２のセグメント状開口を示す。図２に示すハウジング２では、正確な縦軸誘導は、得られる非常に正確な内径１ａによって規定された内径面１により可能となる。
【００３７】
しかしながら、上記ですでに述べたように、正確な内径１ａをもって内径面１を規定することができるハウジング２の他の形状も考えられる。
【００３８】
図３は、本発明による誘導装置の軸方向の断面を示す。内径面１を規定するハウジング２が示される。ハウジングは、スリーブセグメント１５を備える滑動体３がそれぞれ誘導（ガイド）される縦軸スロット１４を有する。滑動体３は、ズームレンズもしくはズームレンズセットからなるズーム部品１９を所持する。滑動体３は、ズームレンズが光軸に沿って正確に移動するように、そのスリーブセグメント１５によってハウジング２の内径面１に配置される。この光軸は１６で示される。
【００３９】
本実施例において、ハウジングの内径面１に滑動体３のスリーブセグメント１５を保持し、かつ滑動体３を回転させないよう確保する手段は、互いに組合されかつ兼用されて「保持・回転防止装置」を構成し、また穴２０を通じてスリーブセグメント１５に係合し、かつ内径面１の外側に磁石５及びボールベアリング７を支持する共通の短軸１３を有する。各滑動体３及び各ズーム部品にはそのような装置が備えられている。軸方向に移動する時、短軸１３はハウジング２の縦軸スロット１４内を移動する。ボールベアリング７と共に精密な縦軸スロット１４は回転防止用の回転防止装置１８を形成する。磁石５及びそれからわずかな間隔をあけて配置された鋼帯６は、隆起した当接面４が磁力によってハウジング２の内径面１に吸引されるようにする。スリーブセグメント１５上の隆起した当接面４は図１に示されている。回転防止（確保）と共に、ズーム群は、５つの自由度をもって正確に位置づけられ、また６つめの自由度（縦軸誘導）に沿ってまったくあそびなく移動可能である。鋼帯６上での磁石５の近接浮遊状態は摩擦を生じさせない。
【００４０】
本実施例において、一対の１２０°スリーブセグメント１５は、それぞれ１８０°反対側に位置するハウジングの内径面１の各セクター（円弧部分）９に当接する（aufliegen）ように配置される（図４参照）。即ち、両スリーブセグメント１５は軸方向移動に際して互いに干渉しないようそれぞれハウジング内径面に摺動自在に配される。したがって、密閉スリーブと異なり、軸方向の長い誘導長が可能となるので、正確な誘導が実行可能となる。
【００４１】
図４は、図３に示す誘導装置の光軸１６に垂直な横断面を示す。滑動体３は、そこにはめ込むズームレンズ１９と共に示され、光軸に調心され、そして（図４の右側にある）スリーブセグメント１５を有する。内径面１を規定するハウジングは２で示される。誘導として使用されないハウジング２の内径面１のセクターには、調節及び掃除を目的とするズームレンズ１９へのアクセスを提供し、かつ駆動ユニットをコンパクトに搭載させる開口１０がある。使用される駆動ユニットは、連結器１１によって滑動体３を駆動するスピンドルカム１２である。このようなスピンドルカム１２において、スピンドルの回転運動は、急なねじ山によって、この場合は軸方向の、直線運動に変換される。滑動体３の横の連結によるこの駆動形態は、軸方向の力ばかりでなく他の方向にも作用する力を生じさせる。したがって、回転防止の確保は、軸方向の正確な移動を確保するために講じなければならない。
【００４２】
図４は、短軸１３によって収容され、かつ正確な縦軸スロット１４において軸方向への滑動体３の非回転運動を可能にするボールベアリング７を示す。上記ですでに説明したように、磁石５は傾きを防止するために設けられ、この磁石はスリーブセグメント１５の穴２０に固定される同じ短軸１３によって保持される。磁力による半径方向外方への吸引力は、内径面１に沿ったあそび無しの移動を可能にする。外側から縦軸スロット１４を閉塞し、かつ磁石５が摩擦無しに移動する鋼帯６は、（図面ではよく判らないが）磁石５からわずかに離れている。
【００４３】
本発明による誘導装置によれば、安定した装置に必要とされる十分な誘導長と誘導幅を提供する、スリーブセグメント１５を備える滑動体３の使用が可能になる。同時に、ハウジング２のセグメント状開口１０は、光軸方向及び横方向の調節が可能となるように、滑動体３へのアクセスを提供する。また、レンズをはめ込んだ後のレンズの掃除も可能となる。滑動体３の縦断面（図３）は略Ｌ字状断面となっており、十分な誘導長は、内径面１に沿ってセグメント状に形成されたスリーブエレメントの（図示の例では一方は下端に、他方は上端に）互いに干渉しないようずらして配置したレンズ受け（ディスク状部）によって実現される。
【００４４】
本発明による誘導装置は、まったくあそびのない、かつ低摩擦の誘導の実施を可能にし、コンパクトで経済的な同軸構造を有し、そしてレンズへのアクセスを保証する。
【００４５】
スリーブセグメント１５上の当接面４（図１参照）は、経済的な回転操作（施削加工等）によって互いに正確に配向することができる。
【００４６】
ハウジング２の内径面１に正確に一致する円筒の直径及びズーム部品１９の光軸と合致する円筒の軸を描くようにズームセットを組み込んだ後、４つの当接面４を機械加工することができる。したがって、ズーム部品の横方向の調節は不必要である。セグメント１５は４つの当接面だけで当接するため、直径を正確に等しくするしかない。本実施形態においては、２つのセグメント１５について共通の誘導（ガイド）面が利用される。別の実施形態においては、セグメントは、４つの当接面４が、直径が内径面１とまったく等しい円筒の一部であるように形成される。ズーム部品は、その光軸が円筒の軸と一致するようにセグメントに取り付けられる。
【００４７】
ハウジング２に関する付加的な代案として、内径面１のセクターの代わりに、光軸１６に平行に配置される２つのＶ字状面２１が誘導面として機能することもできる。しかしながら、この場合、要求される精度を有する加工がやや難しくなることに留意するべきである。加えて、４つの面がズーム用の共通の光軸を規定するように、４つの面全体を平行かつ正確な位置に配置することは困難である。複数の誘導柱が４つの誘導面の代わりに設けられるのであれば、同じことが当てはまる。これに対し、内径面１の加工の際精密性を確保するため４つの当接レール２２を簡単で高精度の回転加工（施削加工等）によって加工する付加的オプションがある。スリーブセグメント１５を備える精密な滑動体３の生産容易性の利点は、これら別の実施形態においても維持される。
【００４８】
強調すべきことは、本実施形態において説明した本発明の誘導装置の特徴は、本質的に、示した組み合わせのみならず、他の配置においても実施できることである。滑動体は一対の場合を例示したが、これに限らず同様の原理で複数の滑動体を配設することができる。
【００４９】
本発明は、顕微鏡において使用されるようなズーム装置に特に適している。それらのズーム装置は、平行搭載ズーム装置を備える立体顕微鏡にも使用できることは明らかである。
【図面の簡単な説明】
【００５０】
【図１】本発明による誘導装置用のスリーブセグメントを備える滑動体の一実施例の２つの概略斜視図である。
【図２】本発明による誘導装置用のハウジングの一実施形態を示す概略斜視図である。
【図３】本発明による誘導装置の一実施例の縦軸に沿った断面図である。
【図４】図３の誘導装置の横断面図である。
【図５】本発明の誘導装置の他の一実施例の横断面図である。
【図６】本発明の誘導装置のさらに他の一実施例の横断面図である。
【符号の説明】
【００５１】
１    内径面
１ａ  内径
２    ハウジング
３    滑動体
４    当接面
５    磁石
６    鋼帯
７    ボールベアリング
９    内径面のセクター
１０  ハウジングの開口
１１  連結器（Kopplung）
１２  駆動ユニット、スピンドルカム
１３  短軸
１４  縦軸スロット
１５  スリーブセグメント
１６  光軸
１７  内径面に保持する保持装置
１８  回転防止装置
１９  光学組立部品、ズームレンズ
２０  穴
２１  Ｖ字状面
２２  当接レール
【図１】
2005070792.tif 000003
【図２】
2005070792.tif 000004
【図３】
2005070792.tif 000005
【図４】
2005070792.tif 000006
【図５】
2005070792.tif 000007
【図６】
2005070792.tif 000008